(57)【要約】      （修正有）【課題】納骨室内への骨壷の出し入れの作業性を向上して誰でも外部側から簡単に作業を行えるとともに、複数の骨壷を効率良く収納できる回転台装置付き墓石を提供する。【解決手段】基礎１６と、前面側に納骨用開口４２が形成された側壁（２８１２８２、３０）と、納骨用開口４２を開閉自在に閉鎖する開閉扉３４と、天壁３６と、で囲まれた納骨室１２と、納骨室１２内に設置され、複数の骨壷を載置する広さの載置面を有し、載置面の一部が納骨用開口４２に近接するように該載置面を鉛直中心軸回りに自在に回動させる回転台装置１４と、を備えたことを特徴とする回転台装置付き墓石１０から構成される。回転盤６０を中心軸周りに回転しながら、効率良く複数の骨壷を収納できる。【選択図】図１
0003152744.tif 000002
【実用新案登録請求の範囲】
【請求項１】
基礎と、前面側に納骨用開口が形成された側壁と、納骨用開口を開閉自在に閉鎖する開閉扉と、天壁と、で囲まれた納骨室と、
納骨室内に設置され、複数の骨壷を載置する広さの載置面を有し、載置面の一部が納骨用開口に近接するように該載置面を鉛直中心軸回りに自在に回動させる回転台装置と、を備えたことを特徴とする回転台装置付き墓石。
【請求項２】
回転台装置は、上面に載置面を形成し下面側から円筒状の軸部を下方に突設した回転盤と、
該回転盤の軸部を嵌合状に受け入れて枢着部を構成する凹部が形成された軸受台と、を備えた請求項１記載の回転台装置付き墓石。
【請求項３】
回転盤の軸部の下面側と、軸受台の凹部の底面側と、の間に回転盤の荷重を受けながら軸部を回動自在に受ける軸受を介設させた請求項２記載の回転台装置付き墓石。
【請求項４】
回転盤の設置面の高さが納骨用開口の下縁位置より高く設定された請求項２または３記載の回転台装置付き墓石。
【請求項５】
納骨室内において、基礎に地面が露出されて骨を埋葬するための骨返しスペースが設けられ、かつ該骨返しスペースと回転台装置とは平面視で互いに重ならない位置に設けられた請求項１ないし４のいずれかに記載の回転台装置付き墓石。
【請求項６】
納骨室は左右方向に横長に設けられ、前面側の左右中央部分に納骨用開口が形成されており、
納骨室内に２個の回転台装置が横に並べて配置され、
各々の回転台装置をスライド移動させて、納骨用開口に臨む中央位置と、左右の退避位置と、に選択的に配置させるスライド機構を備えた請求項１ないし５のいずれかに記載の回転台装置付き墓石。
【考案の詳細な説明】
【技術分野】
【０００１】
本考案は、下方側に複数の骨壷を収容できる納骨室を備えた回転台装置付き墓石に関する。
【背景技術】
【０００２】
一般に、墓石の下方側に遺骨を安置する納骨室（カロート）が形成される場合が多い。納骨室の形式は、墓石の形式や大きさ又は墓地の広さ等の条件等によって種々異なるが、特許文献１添付図面の図５に示すように納骨室を地面を掘って地下に設ける地下式や、特許文献２に示すように納骨室を地上側に設ける地上式等がある。さらに、納骨室の大きさは、５〜６個以上の複数の骨壷が収納できるような容積が確保される場合が多いが、そのサイズは様々である。例えば、地下式の納骨室では、幅が２尺（約６０ｃｍ）、奥行が３尺（９０ｃｍ）のサイズで、深さが１尺（約３０ｃｍ）で骨壷を納める棚が１段設けられた低天井タイプや、深さが２〜３尺（約６０〜９０ｃｍ）又はそれ以上の深さで骨壷を納める棚が２段以上設けられる高天井タイプ等のものがある。一方、地上式の納骨室では、例えば、幅、奥行き略同じサイズであるが、高さは１尺程度で、骨壷を納める棚が１段設けられた低天井タイプのものがあった。
【先行技術文献】
【特許文献】
【０００３】
【特許文献１】特開２００４−１５０２３７号公報
【特許文献２】特開２００２−１０６２０９号公報
【考案の概要】
【考案が解決しようとする課題】
【０００４】
従来の墓石の納骨室は低い位置で、しかも周囲が囲まれて形成され、暗く、多湿でカビや虫が発生しやすい悪環境となりがちであるとともに、骨壷を置く棚板が納骨室の奥の方に設けられている構造であるから、納骨室内に骨壷を収納する作業の際には、身体を低く屈めながら手を納骨室内の奥深く入れたり、特に地下式の場合には作業者が地下に潜り込んで作業を行う必要があった。したがって、作業性が悪く、重労働でしかも衣服が汚れる等の問題があり、遺族者自身が納骨したい要望があるにも関わらず、特に、女性や高齢者の場合には納骨作業が困難で敬遠されがちであった。
【０００５】
本考案は、上記従来の課題に鑑みてなされたものであり、その一つの目的は、納骨室の外部側から誰でも簡単に骨壷の出し入れ作業を行え、骨壷の出し入れの作業性を向上し得るとともに、複数の骨壷を効率良く収納できる回転台装置付き墓石を提供することにある。
【課題を解決するための手段】
【０００６】
上記課題を解決するために本考案は、基礎１６と、前面側に納骨用開口４２が形成された側壁（２８、３０）と、納骨用開口４２を開閉自在に閉鎖する開閉扉３４と、天壁（３６）と、で囲まれた納骨室１２と、納骨室１２内に設置され、複数の骨壷ＢＰを載置する広さの載置面５８を有し、載置面５８の一部が納骨用開口４２に近接するように該載置面５８を鉛直中心軸Ｚ回りに自在に回動させる回転台装置１４と、を備えたことを特徴とする回転台装置付き墓石１０から構成される。納骨室のサイズは任意でも良いが、特に、納骨室が人が入れないような低天井式で設けられている場合に有利に適用できる。
【０００７】
また、回転台装置１４は、上面に載置面５８を形成し下面側から円筒状の軸部６４を下方に突設した回転盤６０と、該回転盤６０の軸部６４を嵌合状に受け入れて枢着部を構成する凹部６６が形成された軸受台６２と、を備えたこととしてもよい。
【０００８】
また、回転盤６０の軸部６４の下面側と、軸受台６２の凹部６６の底面側と、の間に回転盤６０の荷重を受けながら軸部６４を回動自在に受ける軸受（６８）を介設させたこととしてもよい。軸受は例えばボールベアリング等スラスト軸受構造が適用されるとよい。
【０００９】
また、回転盤６０の設置面５８の高さが納骨用開口４２の下縁位置より高く設定されたこととしてもよい。
【００１０】
また、納骨室１２内において、基礎１６に地面が露出されて骨を埋葬するための骨返しスペース７０が設けられ、かつ該骨返しスペース７０と回転台装置１４とは平面視で互いに重ならない位置に設けられたこととしてもよい。納骨室の骨返しスペース７０の位置に対応して、該納骨室１２を閉鎖している側壁の一部分を開口４４し、開閉扉３４で開閉できるようにしておくと、骨返し作業を楽に行える。
【００１１】
また、納骨室１２は左右方向に横長に設けられ、前面側の左右中央部分に納骨用開口４２が形成されており、納骨室１２内に２個の回転台装置１４ａ、１４ｂが横に並べて配置され、各々の回転台装置をスライド移動させて、納骨用開口４２に臨む中央位置ＭＰと、左右の退避位置ＬＰ，ＲＰと、に選択的に配置させるスライド機構７６を備えたこととしてもよい。
【考案の効果】
【００１２】
本考案の回転台装置付き墓石によれば、基礎と、前面側に納骨用開口が形成された側壁と、納骨用開口を開閉自在に閉鎖する開閉扉と、天壁と、で囲まれた納骨室と、納骨室内に設置され、複数の骨壷を載置する広さの載置面を有し、載置面の一部が納骨用開口に近接するように該載置面を鉛直中心軸回りに自在に回動させる回転台装置と、を備えたことから、納骨室に骨壷を収容又は取り出しする際には、載置面の一部が納骨用開口に近接しているので、開閉扉を開けるだけで、納骨用開口の外側から簡単に回転台装置上へ骨壷を出し入れ操作できる。同時に、必要に応じて回転台装置の載置面を鉛直中心軸周りに回転させるだけの簡単な操作で、新しく骨壷を置く空きスペース部分を手前に移動させながら古い骨壷を奥側に移動させたり、逆に奥側に移動させた任意の骨壷を手前に移動させたりすることができる。その結果、納骨室への骨壷の出し入れ作業の作業性を向上でき、老若男女を問わず誰でもが、簡単、円滑に、短時間で、衣服を汚すことなく作業を行うことができ、遺族自身での納骨作業を実現できると同時に、複数の骨壷を納骨室内に効率良く収納することができる。
【００１３】
また、回転台装置は、上面に載置面を形成し下面側から円筒状の軸部を下方に突設した回転盤と、該回転盤の軸部を嵌合状に受け入れて枢着部を構成する凹部が形成された軸受台と、を備えた構成とすることにより、回転台装置を簡単な構造で具現でき、回転盤を手で自由に回転しながら、簡単に骨壷の出し入れ操作をすることができる。墓石の構築時に納骨室に回転台装置を設置する際に、軸受台と回転盤とを分離して別々に搬送して、簡単に組み付けて製作することができる。
【００１４】
また、回転盤の軸部の下面側と、軸受台の凹部の底面側と、の間に回転盤の荷重を受けながら軸部を回動自在に受ける軸受を介設させた構成とすることにより、軸受を介して回転盤を省力でスムーズに回転させることができ操作性が良いと同時に、回転盤の載置面上に骨壷を載せた状態で該回転盤を回転させる際にも不意に骨壷が倒れることなく安定して回転させることができる。
【００１５】
また、回転盤の設置面の高さが納骨用開口の下縁位置より高く設定された構成とすることにより、作業者が無理な低い姿勢をとることなく、納骨用開口から回転盤に手が届きやすく、納骨室の奥深くに手を入れることなく楽に骨壷の出し入れ操作や回転盤の回転操作を行なうことができる。
【００１６】
また、納骨室内において、基礎に地面が露出されて骨を埋葬するための骨返しスペースが設けられ、かつ該骨返しスペースと回転台装置とは平面視で互いに重ならない位置に設けられた構成とすることにより、例えば納骨室に安置する骨壷数が増えた場合に、同納骨室内において骨返しスペースに遺骨を土に返して、回転台装置上の骨壷の載置場所を確保することができる。さらに、回転台装置上への納骨操作や回転盤の回転操作の際に骨返しスペースが、あるいは骨返し操作の際に回転台装置が、それぞれ邪魔になることがなく円滑に作業を行える。
【００１７】
また、納骨室は左右方向に横長に設けられ、前面側の左右中央部分に納骨用開口が形成されており、納骨室内に２個の回転台装置が横に並べて配置され、各々の回転台装置をスライド移動させて、納骨用開口に臨む中央位置と、左右の退避位置と、に選択的に配置させるスライド機構を備えた構成とすることにより、２個の回転台装置を必要に応じてスライド機構を介してスライド移動させながらそれぞれの回転盤上に骨壷を載置することができ、例えば、家族や親類の数が多い場合にも対応して多数の骨壷を収納することができる。
【図面の簡単な説明】
【００１８】
【図１】本考案の第１の実施形態に係る回転台装置付き型墓石の正面図である。
【図２】図１のＡ−Ａ線断面図である。
【図３】図１のＢ−Ｂ線断面図である。
【図４】図１の納骨室周辺の拡大図である。
【図５】回転台装置の分解斜視図である。
【図６】図１の回転台装置付き墓石の作用説明図である。
【図７】本考案の第２の実施形態に係る回転台装置付き墓石の横断面図である。
【考案を実施するための形態】
【００１９】
以下、添付図面を参照しつつ本考案の回転台装置付き墓石の実施の形態について説明する。本考案の回転台装置付き墓石は、遺骨を安置する納骨室が地上に形成されている。図１ないし図５は、本考案に係る回転台装置付き墓石の第１の実施形態を示している。図１、図２に示すように、本実施形態において、回転台装置付き墓石（以下単に「墓石」とも言う）１０は、納骨室１２と、回転台装置１４と、を備えている。
【００２０】
本実施形態では、墓石１０は、例えば全体的に横長に設けられる洋型墓石の場合について説明する。なお、洋型墓石に限らず和型墓石やデザイン墓石等に適用してもよい。図１、図２に示すように、墓石１０は、例えば、地面にコンクリートを打設して基礎１６が設けられ、基礎１６上の所定位置に下から上へ、内部に納骨室１２が形成される納骨部１８、台石２０、棹石２２、の順に積み重ねて構成されている。なお、図２において、図上の右側が墓石の前方側、図上の左側が墓石の後方側であり、図１において、図上の左右方向が墓石の左右方向である。
【００２１】
図１、図２、図３に示すように、納骨部１８は、基礎１６上に複数の石材を中空箱状に組み付けて構成され、内部に納骨室１２が形成されている。本実施形態では、納骨室１２は地下ではなく地上に設けられた地上式納骨室のいわゆる丘カロート状の墓石構造となっている。本実施形態では、納骨室１２は、天井の高さが例えば３０〜４０ｃｍで、成人が納骨室内に入り込めない程度に比較的低い低天井式で設けられている。具体的には、納骨部１８は、基礎１６上に設置される土台２６と、土台２６上の左右側面及び後面側に立設される３つの腰板２８と、土台２６上の前面側に立設される前面閉鎖板３０及び開閉扉３２、３４と、それらの上方側を閉鎖するスラブ３６と、を備え、それらに囲まれる内部中空空間が納骨室１２となる。土台２６は、基礎１６上に、前後方向に長く平行に離隔配置された１対の左右土台石２６１、２６２の後端側に、後方の土台石２６３が配置され、前後中間位置に前方土台石２６４が配置されて、平面視で横長矩形枠部分を構成している。３つの腰板２８１〜２８３は、土台石２６１〜２６３の長さに対応した長さで該土台２６上に平面視略コ字状に配置され、納骨室１２の左右及び後方を閉鎖する側壁を形成している。前方の土台石２６４上には、左右両端側にそれぞれ１本ずつと左右中央の互いに離隔した位置に２本の計４本の柱３８１〜３８４が離隔配置され、柱３８１〜３８４の上端に鴨居４０が設置されている。前方の土台石２６４と中央の２本の柱３８２、３８３と鴨居４０とで囲まれる部分が納骨用開口４２となり、該納骨用開口４２を開閉自在に閉鎖するように納骨用開閉扉３２が配置されている。正面視左側の２本の柱３８１、３８２との間には前面閉鎖板３０が配置され、納骨室１２の前面側を閉鎖する側壁を形成している。正面視右側２本の柱３８３、３８４の間は、後述の骨返しスペース７０に対応して設けられる骨返し用開口４４となっており、骨返し開口４４を開閉自在に閉鎖するように骨返し用開閉扉３４が配置されている。納骨用開閉扉は縦軸周りに回動する左右２枚の扉体３２ａ、３２ｂを含む観音開き式又は両開き式の扉で構成されている。右側の扉体３２ａには、閉鎖時に左側の扉体３２ｂの縁を前面側から押える規制縁片部３３が一体的に設けられている。骨返し用開閉扉３４は縦軸周りに開閉する片開き式の扉となっている。これらの開閉扉３２、３４は、土台石上に着脱自在に係止される扉止め４６、４７により閉鎖状態でロックされる。スラブ３６は、３つの腰板２８１〜２８３の上端と、４本の柱で支持された鴨居４０上に載置され、納骨室１２の天井を閉鎖する天壁を形成している。本実施形態では、納骨室１２は、例えば、内寸での横幅×奥行き×高さが、およそ１８０×９０×４０ｃｍ程度の大きさで、左右に横長で低天井に設けられている。例えば、成人の遺骨を収納できる骨壷のサイズは、直径が５〜６寸（約１５〜１８ｃｍ）で高さが直径サイズと同じか直径よりやや大きい程度のものが利用される場合があるが、このサイズの骨壷が納骨室１２内に設置される回転台装置１４上に一段式で収納されるような大きさとなっている。なお、納骨室１２の寸法は任意でも良く、例えば納骨室は低天井のものに限らず、天井の高さが比較的���い高天井式で設けられていても良い。なお、図４上、４１は納骨用開口側から水が入るのを防ぐ水止板である。
【００２２】
図３に示すように、左右の土台石２６１、２６２及び腰板２８１、２８２は、納骨室１２の前面側を区画している前方土台石２６４、前面閉鎖板３０及び開閉扉３２、３４の位置よりも、さらに前方側に向けて延長されている。左右の土台石２６１、２６２の前方への延長部分の間即ち納骨室１２の前方側には、基礎１６上に参道４８が敷設されており、さらにその前端に踏板５０が敷設されている。左右の腰板２８１、２８２の延長部分の上端には、笠石４９が設けられている。左右の腰板２８１、２８２の前端側には、踏板５０上に門柱５１が立設されている。
【００２３】
図１、図２において、納骨部１８のスラブ３６の上面側の略中央には、台石２０及び棹石２２を含む墓石本体２４が設置されている。台石２０上で、棹石２２の前方側又はその近傍には、線香立てを囲む開閉扉付きの香炉台部５２や花を飾る穴が設けられた花立付飾石５３が配置されている。スラブ３６上の棹石２６の右側方には、墓誌５４が立設されている。また、スラブ３６上の左右と後面側の縁部に沿って略コ字状に玉垣５５が配置されている。なお、参道４８の左側にはすなわち前面閉鎖板３０の前方側には物を収納できる物置５６が設置されている。
【００２４】
図２、図３に示すように、回転台装置１４は、納骨室１２内に設置され、複数の骨壷を載置するための載置面５８を有しており、載置面５８を鉛直中心軸Ｚ周りに自在に回転させる回転台式骨壷載置手段である。回転台装置１４は、平面視横長矩形状に区画された納骨室１２内の基礎１６上に略中央位置に設置されており、載置面５８の一部を納骨用開口４２に近接させるように配置されている。図４、図５にも示すように、回転台装置１４は、例えば、上面側に載置面５８が形成される回転盤６０と、基礎１６上に設置されて回転盤６０を下から回転自在に受ける軸受台６２と、を備える。回転盤６０は、例えば、直径が８０ｃｍの円盤状に形成されており、回転盤６０の下面側の中心位置には軸方向に短い短円筒状に形成された軸部６４が下方に向けて一体的に突設されている。回転盤６０の納骨用開口４２と最も近接する部分と納骨用開口４２との間隙は、例えば数ｃｍ程度に設定されて近接配置されている。軸受台６２は、例えば、略円柱状に形成されており、その上端側に回転盤の軸部６４を嵌合状に受け入れて回転盤を縦軸周りに自在に回転させる枢着部を構成する平面視円形状の凹部６６が凹設されている。さらに、回転盤６０の軸部６４の突設下端面と、軸受台６２の凹部６６の底面と、の間には、例えばボールベアリング６８等の軸受が介設されている。ボールベアリング６８は、例えば、凹部６６側に自在転動する金属球体からなる転動体６８ａを保持器を介して位置保持されながら円形状に配列されるとともに、回転盤６０の軸部６４の下端面に円形状に凹設された溝軌道６８ｂが形成されている。そして、凹部６６側の転動体６８ａと軸部６４の円形溝軌道と組み付けてスラスト玉軸受（ころがり軸受）を構成し、回転盤６０の荷重を受けながら該回転盤の軸部６４を回動自在に受ける。これにより、ボールベアリング６８からなる軸受を介して複数の骨壷を回転盤６０上に載置した状態でも該回転盤を安定して、省力で、円滑に回動させることができる。図４に示すように、軸受台６２の高さは、土台２６の高さと略同じ高さで設けられており、軸受台６２に支持される回転盤６０の設置面５８の設置高さは、土台２６の上縁すなわち納骨用開口４２の下縁位置よりも高い位置に設定されている。よって、作業者は納骨室に潜り込んだり、人が入れないような低天井の納骨室であっても手を納骨室内の奥や下の方まで深く入れる必要はなく、納骨室１２の外部に居ながら納骨用開口４２から手を少し入れるだけで回転盤に手が届きやすいので、該回転盤６０上に骨壷ＢＰを置いたり、回転盤６０の回転操作を行うことができ、作業性がよい。さらに、回転盤６０を手で回転させるだけで骨壷を納骨室内の奥側へも移動収納でき、複数の骨壷を効率良く収納できる。回転盤６０は円盤状に設けられているので、鉛直中心軸Ｚ周りに回してどの位置で止めても、常にその一部は納骨用開口４２に一定の近接位置で保持されるので、骨壷の収納効率及び操作性が良い。なお、回転盤６０の形状は上述の実施形態のように円盤状に限らず、例えば、四角形、五角形、六角形、八角形、その他多角形等に形成してもよい。
【００２５】
図２、図３に示すように、納骨室１２において、底面側を閉鎖している基礎１６の横長矩形状部分の右前隅部寄り位置で、回転台装置１４の設置位置を避けた位置に骨返しスペース７０が設けられている。骨返しスペース７０は、基礎１６の一部をコンクリートを打設せずに地面即ち土を露出させた部分を形成しており、骨壷内の遺骨を土に返して埋葬することができ、例えば、納骨室１２内に収納する骨壷の数が多くなった場合などに利用できる。本実施形態では、骨返しスペース７０は、例えば、基礎１６の土を露出した部分が平面視矩形状に形成されており、その四周を立設された周壁７２で囲まれている。さらに、骨返しスペース７２は、蓋７４を介して四周壁７２の上方側の開口が覆われており、通常は閉鎖され、骨返し作業の際には蓋７４を外して開放されるようになっている。骨返しスペース７０は、上述のように右前方側隅部位置に設けられており、納骨室１２前面側の骨返し用開閉扉３４を開くと、骨返し用開口４４からすぐ手が届きやすい位置に設けられている。同時に、納骨室１２内において骨返しスペース７０と回転台装置１４とは平面視で互いに重ならない位置に設けられている。これにより、骨返しスペースに骨壷の遺骨を返す際にも回転台装置１４が邪魔にならないとともに、回転台装置１４に骨壷を置く際や回転盤６０を回転操作する際には骨返しスペースが邪魔にならずスムーズに作業できる。
【００２６】
次に、図６を参照しつつ本実施形態に係る回転台装置付き墓石の作用について説明する。新しく遺骨を納骨する際には、予め遺骨を骨壷に入れておく。図６に示すように、作業者Ｆが、参道４８上から墓石１０の前面側の納骨用開閉扉３２の扉止めを離脱して該開閉扉３２を開き、開放された納骨用開口４２を介して骨壷ＢＰを納骨室１２内に入れて、該骨壷ＢＰを回転台装置１４の載置面５８の手前側に置く。回転台装置１４の回転盤６０の一部は納骨用開口４２に近接した位置に設けられているので、作業者Ｆは暗くて狭い納骨室１２の奥深くに潜り込む必要がなく、納骨室の外部側から手を少し入れるだけで、簡単に、短時間で、衣服等を汚すこともなく納骨することができる。なお、新しい骨壷ＢＰを納骨する際に、既に回転盤６０上に古い骨壷が収納されている場合には、回転盤６０を手で右又は左に回転させて、回転盤６０上の載置面５８の空いている部分を手前側に向けて、新しい骨壷を載置する。この回転盤６０の回転操作も納骨室の外部側から手を少し入れるだけで簡単に行なえる。骨壷を回転盤上に載置したら、開閉扉３２を閉鎖して、扉止め４６で該開閉扉をロックして、納骨作業を終える。一方、回転盤６０上の骨壷ＢＰを置く場所が少なくなり、新しく骨壷の配置スペースを確保したい場合には、開閉扉３２を開いて納骨用開口４２を介して回転盤６０を手で回し、任意の骨壷例えば一番古い骨壷が手前に来るように位置させて、所望の骨壷を取り出す。そして、開閉扉３２の右側の骨返し用開閉扉３４を開き、骨返しスペース７０の蓋７４を開けて、露出された土部分に骨壷内の遺骨を返して埋葬する。この際、回転台装置１４は邪魔になることなく円滑に骨返し作業が行える。
【００２７】
次に、図７を参照しつつ、本考案の回転台装置付き墓石の第２の実施形態について説明する。第１実施形態と同一部材には同一符号を付し、その詳細な説明は省略する。図７に示すように、本実施形態では、納骨室１２内に２個の回転台装置１４ａ、１４ｂが横に並べて設置されている。上述のように納骨室１２は左右に横長く形成されており、納骨用開閉扉３２に臨む空間部分の左右側にも納骨室空間が連続してある程度広がっている。２つの回転台装置１４ａ、１４ｂは、スライド機構７６によりそれぞれ左右方向にスライド移動可能に設けられている。スライド機構７６は、納骨室内の基礎１６の部分に左右に長く敷設された直線状のレール７８を有しており、該レール７８が回転台装置１４ａ、１４ｂの軸受台６２をスライド自在に案内する。スライド機構７６により、右側の回転台装置１４ａは、左右にスライド移動させて、納骨用開口４２に臨む中央位置ＭＰと、右側の骨返し用開口側の退避位置ＲＰ（二点鎖線１４ａ参照）と、に選択的に配置させることができる。同様に、左側の回転台装置１４ｂは、左右にスライド移動させて、左側の前面閉鎖板３０に対応する退避位置ＬＰと、納骨用開口４２に臨む中央位置ＭＰと、に選択的に配置させることができる。これにより、必要に応じて２個の回転台装置１４ａ、１４ｂをスライド移動させつつ、いずれかの回転台装置１４ａ、１４ｂを納骨用開口４２に臨む中央位置ＭＰに配置させ、その回転盤６０を手で回転させながら骨壷の出し入れ作業を簡単に行える。したがって、この第２実施形態では、２個の回転台装置により第１実施形態のものよりもより多くの骨壷を効率良く収容できるとともに、必要に応じて任意の骨壷を納骨室１２から簡単に取り出すこともできる。なお、骨返しスペース７０に骨壷の遺骨を土に返す際にも、２個の回転台装置１４ａ、１４ｂを骨返しスペースと重ならない位置にスライド移動させることができるので、邪魔になることなく円滑に作業できる。
【００２８】
以上説明した本考案の回転台装置付き墓石は、上記した実施形態のみの構成に限定されるものではなく、実用新案登録請求の範囲に記載した本考案の本質を逸脱しない範囲において、任意の改変を行ってもよい。
【産業上の利用可能性】
【００２９】
本考案の回転台装置付き墓石は、人が室内に入れないような低天井式や、比較的天井が高い高天井式の納骨室を備えた墓石に利用できる。
【符号の説明】
【００３０】
１０    回転台装置付き墓石
１２    納骨室
１４    回転台装置
１６    基礎
３２    納骨用開閉扉
４２    納骨用開口
５８    載置面
６０    回転盤
６２    軸受台
６４    軸部
６６    凹部
６８    ボールベアリング
７０    骨返しスペース
【図１】
0003152744.tif 000003
【図２】
0003152744.tif 000004
【図３】
0003152744.tif 000005
【図４】
0003152744.tif 000006
【図５】
0003152744.tif 000007
【図６】
0003152744.tif 000008
【図７】
0003152744.tif 000009